(57)【要約】      （修正有）【課題】耐荷重性の強化を図り、収納スペースの広域化を実現し、組み立て工具の不要化、軽量、安価で、更には組み立て、分解容易、保管容易、廃棄容易で、被災対策物資として好適に活用できる災害用段ボールベッドを提供する。【解決手段】災害用段ボールベッドは、複数の差し込み用凹陥部をそれぞれ設けた第１の土台仕切り板と第２の土台仕切り板とを、各差し込み用凹陥部同士の差し込み連結により井桁状に組み立て、これらの間に複数の収納スペースが区画される土台仕切り１０と、土台仕切りを２個直列分離配置で収納し、隣り合う端面近接領域に部材差し込み用凹陥部３が形成される角筒連結構造の土台外枠スリーブ２１と、を有し、土台仕切り、土台外枠スリーブからなる二重構造の段ボールベッド本体２０と、各収納スペースの上面を部材差し込み用凹陥部を表出させつつ個別に覆う複数の収納蓋と、段ボールベッド本体の上部外周領域を覆う２個のカバーと、を有する。【選択図】図７
0003230506.tif 000002
【実用新案登録請求の範囲】
【請求項１】
長方形状で所定の間隔で短辺方向の複数の差し込み用凹陥部を設けた第１の土台仕切り板と、長方形状で所定の間隔で短辺方向の複数の差し込み用凹陥部を設けた第２の土台仕切り板とを、前記各差し込み用凹陥部同士の差し込み連結により井桁状に組み立てて、これらの間に複数の収納スペースが区画される土台仕切りと、前記土台仕切り２個を直列分離配置で収納可能であり、かつ、２個の土台仕切りの隣り合う端面近接領域に部材差し込み用凹陥部が形成される角筒連結構造の土台外枠スリーブと、を組み込んで前記土台仕切りを含んで土台仕切り、土台外枠スリーブからなる二重構造に構成した段ボールベッド本体と、
前記段ボールベッド本体における２個の土台仕切りの各収納スペースの上面を前記部材差し込み用凹陥部の領域を表出させつつ個別に覆う複数の収納蓋と、
外周四辺に外周覆い片を形成するとともに、前記各収納蓋の上面を覆う天板を備え、四辺の外周覆い片のうち、一辺の外周覆い片は、前記段ボールベッド本体における各収納蓋で覆われた領領域外の前記部材差し込み用凹陥部に差し込まれ、残余の三辺の外周覆い片は、前記土台外枠スリーブの残余の上部外周領域を覆うように構成した２個のカバーと、
を有することを特徴とする災害用段ボールベッド。
【請求項２】
前記第１の土台仕切り板における差し込み用凹陥部は大小不均一間隔で４箇所形成され、前記第２の土台仕切り板における差し込み用凹陥部は３箇所形成され、前記第１の土台仕切り板３枚と、４枚の第２の土台仕切り板との差し込み用凹陥部の対応する配置での井桁状の組み立てにより、前記土台仕切り１台あたり大スペース４箇所、小スペース２個所の合計６箇所、段ボールベッド本体１台当たり大スペース８箇所、小スペース４個所の合計１２箇所の収納スペースを形成するものであることを特徴とする請求項１記載の災害用段ボールベッド。
【請求項３】
完成状態の災害用段ボールベッドにおける前記複数のカバーと、２個の収納蓋の除去により、前記段ボールベッド本体における各収納スペースが露出することを特徴とする請求項１又は２記載の災害用段ボールベッド。
【請求項４】
前記災害用段ボールベッドは、強化段ボール素材と一般段ボール素材とをもって形成したことを特徴とする請求項１乃至３のいずれか１項に記載の災害用段ボールベッド。
【考案の詳細な説明】
【技術分野】
【０００１】
本考案は、災害用段ボールベッドに関するものであり、詳しくは、耐荷重性に優れ、軽量、安価で、空間利用も可能であり、更には組み立て、分解容易、保管容易、廃棄容易で、被災対策物資として好適に活用できる災害用段ボールベッドに関するものである。
【背景技術】
【０００２】
強化段ボール等の段ボール材は、その組み立て容易性、加工容易性、廃棄容易性等の観点から例えば大震災発生時のような緊急時対策物資として就寝用、休息用の簡易ベッド等に構成して実用に供されている。
【０００３】
例えば、特許文献１には、本願の出願人が先に実用新案登録を取得した強化段ボール製の簡易ベッドであって、長方形状で所定の間隔で短辺方向の複数の差し込み用凹陥部を設けた第１の長方形状中間材と、長方形状で所定の間隔で短辺方向の複数の差し込み用凹陥部を設けた第２の長方形状中間材とを、前記各差し込み用凹陥部同士の差し込み連結により井桁状に組み立てた中間構造体と、この中間構造体上に上面全体が平坦となるように接合配置した長方形状の補強板と、前記補強板及び前記中間構造体上に接合配置した四角形状の天板と、前記中間構造体の底面に接合配置した四角形状で、辺部に前記中間構造体の長辺部壁面に仮止めにより添着され、中間構造体内に形成可能な収納スペースの開口部開閉用の折り曲げ片を具備する底板と、を有する強化段ボール製の簡易ベッドが開示されている。
【０００４】
しかし、特許文献１の強化段ボール製の簡易ベッドの場合にあっては、第１の長方形状中間材と、第２の長方形状中間材とを井桁状に組み込んで構成したものであることから全体として耐荷重性の点で問題が生じ易いと推定される。
【０００５】
また、特許文献１の強化段ボール製の簡易ベッドの場合、前記中間構造体の底面に底板を接合配置し、辺部に前記中間構造体の長辺部壁面に仮止めにより添着され、中間構造体内に形成可能な収納スペースの開口部開閉用の折り曲げ片を具備する構成としているので、収納スペースの開口範囲が狭範囲に限定されてしまうという問題を包含していると推定される。
【先行技術文献】
【特許文献】
【０００６】
【特許文献１】登録実用新案第３１７７３２３号公報
【考案の概要】
【考案が解決しようとする課題】
【０００７】
本考案は、上記事情に鑑みて、特許文献１の技術を踏まえ、これに改良を施し、特に耐荷重性の強化を図り、災害用段ボールベッド内の収納スペースの広域化を実現し、しかも、組み立て工具の不要化、軽量、安価で、更には組み立て、分解容易、保管容易、廃棄容易で、被災対策物資として好適に活用できる災害用段ボールベッドを提供するものである。
【課題を解決するための手段】
【０００８】
本考案に係る災害用段ボールベッドは、長方形状で所定の間隔で短辺方向の複数の差し込み用凹陥部を設けた第１の土台仕切り板と、長方形状で所定の間隔で短辺方向の複数の差し込み用凹陥部を設けた第２の土台仕切り板とを、前記各差し込み用凹陥部同士の差し込み連結により井桁状に組み立てて、これらの間に複数の収納スペースが区画される土台仕切りと、前記土台仕切り２個を直列分離配置で収納可能であり、かつ、２個の土台仕切りの隣り合う端面近接領域に部材差し込み用凹陥部が形成される角筒連結構造の土台外枠スリーブと、を組み込んで前記土台仕切りを含んで土台仕切り、土台外枠スリーブからなる二重構造に構成した段ボールベッド本体と、前記段ボールベッド本体における２個の土台仕切りの各収納スペースの上面を前記部材差し込み用凹陥部の領域を表出させつつ個別に覆う複数の収納蓋と、外周四辺に外周覆い片を形成するとともに、前記各収納蓋の上面を覆う天板を備え、四辺の外周覆い片のうち、一辺の外周覆い片は、前記段ボールベッド本体における各収納蓋で覆われた領領域外の前記部材差し込み用凹陥部に差し込まれ、残余の三辺の外周覆い片は、前記土台外枠スリーブの残余の上部外周領域を覆うように構成した２個のカバーと、を有することを最も主要な特徴とする。
【考案の効果】
【０００９】
請求項１記載の考案によれば、段ボールベッド本体の耐荷重性の強化を図り、収納スペースの広域化を実現できるとともに、組み立て工具が不要であり、軽量、安価で、更には組み立て、分解容易、保管容易、廃棄容易で、被災対策物資として好適に活用できる災害用段ボールベッドを実現し提供することができる。
【００１０】
請求項２記載の考案によれば、請求項１記載の考案の効果を奏するとともに、段ボールベッド本体１台当たり大スペース８箇所、小スペース４個所の合計１２箇所からなる多数で利用価値の高い収納スペースを備える災害用段ボールベッドを実現し提供することができる。
【００１１】
請求項３記載の考案によれば、請求項１又は２記載の考案の効果を奏するとともに、完成状態の災害用段ボールベッドにおける前記複数のカバーと、２個の収納蓋の除去という簡略操作だけで、段ボールベッド本体における各収納スペースを露出させることができ、各収納スペースの利用性を向上することができる災害用段ボールベッドを実現し提供することができる。
【００１２】
請求項４記載の考案によれば、前記災害用段ボールベッドを、強化段ボール素材と一般段ボール素材とをもって形成することにより、請求項１乃至３に記載の考案の効果を奏することができる災害用段ボールベッドを実現し提供することができる。
【図面の簡単な説明】
【００１３】
【図１】図１は本考案の実施例に係る災害用段ボールベッドの概略斜視図である。
【図２】図２は本実施例に係る災害用段ボールベッドの構成要素の概略一覧図である。
【図３】図３は本実施例に係る災害用段ボールベッドの一部である収納蓋を構成する強化段ボール素材の端面の概略説明図である。
【図４】図４は本実施例に係る災害用段ボールベッドにおける土台仕切り組み立て図である。
【図５】図５は本実施例に係る災害用段ボールベッドにおける土台外枠スリーブの展開説明図である。
【図６】図６は本実施例に係る災害用段ボールベッドにおける土台外枠スリーブの展開説明図である。
【図７】図７は本実施例に係る災害用段ボールベッドにおける土台完成組み立て図である。
【図８】図８は本実施例に係る災害用段ボールベッドにおける完成した土台上への収納蓋載置説明図である。
【図９】図９は本実施例に係る災害用段ボールベッドにおけるカバー作成説明図である。
【図１０】図１０は本実施例に係る災害用段ボールベッドにおけるカバーセット状態を示す概略斜視図である。
【図１１】図１１は本実施例に係る災害用段ボールベッドにおける収納蓋開放による収納スペースの利用例を示す概略斜視図である。
【考案を実施するための形態】
【００１４】
本考案は、耐荷重性の強化を図り、災害用段ボールベッド内の収納スペースの広域化を実現し、しかも、組み立て工具の不要化、軽量、安価で、更には組み立て、分解容易、保管容易、廃棄容易で、被災対策物資として好適に活用できる災害用段ボールベッドを実現し提供するという目的を、長方形状で所定の間隔で短辺方向の複数の差し込み用凹陥部を設けた第１の土台仕切り板と、長方形状で所定の間隔で短辺方向の複数の差し込み用凹陥部を設けた第２の土台仕切り板とを、前記各差し込み用凹陥部同士の差し込み連結により井桁状に組み立てて、これらの間に複数の収納スペースが区画される土台仕切りと、前記土台仕切り２個を直列分離配置で収納可能であり、かつ、２個の土台仕切りの隣り合う端面近接領域に部材差し込み用凹陥部が形成される角筒連結構造の土台外枠スリーブと、を組み込んで前記土台仕切りを含んで土台仕切り、土台外枠スリーブからなる二重構造に構成した段ボールベッド本体と、前記段ボールベッド本体における２個の土台仕切りの各収納スペース領域の上面を前記部材差し込み用凹陥部の領域を表出させつつ個別に覆う複数の収納蓋と、外周四辺に外周覆い片を形成するとともに、前記各収納蓋の上面を覆う天板を備え、四辺の外周覆い片のうち、一辺の外周覆い片は、前記段ボールベッド本体における各収納蓋で覆われた領領域外の前記部材差し込み用凹陥部に差し込まれ、残余の三辺の外周覆い片は、前記土台外枠スリーブの残余の上部外周領域及び複数の収納蓋の上部を覆うように構成し、完成状態の災害用段ボールベッドにおける前記複数のカバーと、２個の収納蓋の除去により、前記段ボールベッド本体における各収納スペースが露出する構成により実現した。
【実施例】
【００１５】
以下、図面を参照して、本考案の実施例に係る災害用段ボールベッドについて詳細に説明する。
【００１６】
本実施例に係る災害用段ボールベッド１は、図１、図２に示すように、長方形状で所定の間隔で（大小不均一間隔で）短辺方向の複数（例えば４個）の差し込み用凹陥部２ａを設けた第１の土台仕切り板２と、長方形状で所定の間隔で短辺方向の複数（例えば３個）の差し込み用凹陥部１２ａを設けた第２の土台仕切り板１２とを、前記各差し込み用凹陥部２ａ、１２ａ同士の差し込み連結により井桁状に組み立てて、これらの間に複数の収納スペース１１が区画される土台仕切り１０と、前記土台仕切り１０を２個直列分離配置で収納可能であり、かつ、２個の土台仕切り１０の隣り合う端面近接領域に部材差し込み用凹陥部３が形成される角筒連結構造の土台外枠スリーブ２１と、を組み込んで前記土台仕切り１０を含んで土台仕切り１０、土台外枠スリーブ２１からなる二重構造に構成した段ボールベッド本体２０と、前記段ボールベッド本体２０における２個の土台仕切り１０の各収納スペース１１の上面を前記部材差し込み用凹陥部３の領域を表出させつつ個別に覆う複数の収納蓋３１と、外周四辺に外周覆い片４２を形成するとともに、前記各収納蓋３１の上面を覆う天板４３を備え、四辺の外周覆い片４２のうち、一辺の外周覆い片４２は、前記段ボールベッド本体２０における各収納蓋３１で覆われた領領域外の前記部材差し込み用凹陥部３に差し込まれ、残余の三辺の外周覆い片４２は、前記土台外枠スリーブ２１の残余の上部外周領域及び複数の収納蓋３１の上部を覆うように構成した２個のカバー４１（詳細は後述する。）と、を有している。
【００１７】
図３は、前記災害用段ボールベッド１を構成する強化段ボール素材６１を示すものであり、この強化段ボール素材６１としては、図３に示すように、平板状の４枚のライナー６２と、端面が波形状の３枚の中芯６３とを、前記各中芯６３が各ライナー６２で挟まれるように重合した中芯３層構造とし、例えば、中芯３を３層構造とした場合の厚さは１５ｍｍ、或いは中芯３を２層構造とした場合の厚さは１０ｍｍのような例を挙げることができる。
【００１８】
なお、前記災害用段ボールベッド１は、その各部分を、強化段ボール素材６１の他、強化段ボールと、一般段ボールとを用いて、これらの素材を自在に組み合わせて災害用段ボールベッド１の各部分を形成できる。
【００１９】
本実施例においては、強化ダンボール素材６１、一般段ボール（ＷＦ／８ｍｍ）を用意し、図示していないがコンピュータ制御のカッタ装置又はプレス（裁断機）で裁断、加工して、前記第１の土台仕切り板２、第２の土台仕切り板１２、土台外枠スリーブ２１、収納蓋３１、カバー４１を形成するものである。
【００２０】
本実施例においては、強化段ボール（ＡＡ／１０ｍｍ等）とともに、一般段ボール（ＷＦ／８ｍｍやＡＦ／５ｍｍ等）をもって災害用段ボールベッド１を構成している。
【００２１】
図示する災害用段ボールベッド１においては、第１の土台仕切り板２、第２の土台仕切り板１２、土台仕切り１０、カバー４１が一般段ボール（８ｍｍ）で形成され、収納蓋３１（１０ｍｍ）が強化段ボールでもって形成されている。
【００２２】
但し、災害用段ボールベッド１の各部分を、強化段ボールと、一般段ボールとを如何様にも組み合わせて形成できることは勿論である。
【００２３】
ここで、一台の災害用段ボールベッド１を構成するための前記各要素の個数について言及する。
【００２４】
すなわち、一台の災害用段ボールベッド１を構成するためには、前記第１の土台仕切り板２を６枚、前記第２の土台仕切り板２を８枚、前記土台外枠スリーブ２１を１個、前記収納蓋３１を４個、前記カバー４１を２個使用するものである。
【００２５】
次に、本実施例に係る災害用段ボールベッド１の組み立て工程について、図４乃至図１０を参照して説明する。
【００２６】
図４は、前記土台仕切り１０の組み立て工程を示すものであり、前記第１の土台仕切り板２を３枚、前記第２の土台仕切り板１２を４枚用意し、図４に示すように、前記第１の土台仕切り板２の４箇所の差し込み用凹陥部２ａに対して３枚の第２の土台仕切り板１２の３箇所の差し込み用凹陥部１２ａを嵌め込み、これらの井桁状の組み立てにより、前記土台仕切り１０一台当たり、図４下欄に示すように大スペース４箇所、小スペース２個所の合計６箇所の収納ペース１１を区画形成する。
【００２７】
本実施例においては、上述したような土台仕切り１０を例えば二台作成する。
【００２８】
図５、図６は、前記土台外枠スリーブ２１の展開作成工程を示すものであり、この土台外枠スリーブ２１は、前記土台仕切り１０を２台直列分離配置で収納可能であり、かつ、２個の土台仕切り１０の隣り合う端面近接領域に部材差し込み用凹陥部３が形成される二つの角筒連結構造を呈するように予め折り畳み状態としておき、これを図５右欄に示すように展開することで作成する。
【００２９】
このとき、二つの角筒連結構造部分における側面状態とした図６で、黒塗りで示す折込部分２２、２２をしっかりと内方に折り込み、その上方に前記部材差し込み用凹陥部３が形成されるようにするものである。
【００３０】
図７は、前記段ボールベッド本体２０の組み立て工程を示すものであり、既述した土台仕切り１０を二台作成した後、これらを前記土台外枠スリーブ２１の２個所の角筒領域に直列分離配置でセットし、図７右下欄に示すように大スペース８箇所、小スペース４個所の合計１２箇所の収納量が大小に異なる各収納スペース１１を備える段ボールベッド本体２０を組み立てる。
【００３１】
図８は、完成した前記段ボールベッド本体２０に対する収納蓋３１の載置工程を示すものである。
【００３２】
すなわち、前記段ボールベッド本体２０における２個の土台仕切り１０の各収納スペース１１の上面を前記部材差し込み用凹陥部３の領域を表出させつつ個別に４枚の収納蓋３１により覆うものである。
【００３３】
図９は、前記カバー４１の作成工程を示すものであり、このカバー４１においては、方向Ｘ、Ｙを図９に示すように定義する。
【００３４】
前記カバー４１は、全体として四角形状でＸ方向、Ｙ方向の各端辺より内側に各々二本ずつの折り込み線５２ａ、５２ｂ、５３ａ、５３ｂを形成してその外側の外周四辺に合計４個の外周覆い片４２を設けた構成としている。
【００３５】
前記折り込み線５２ａ、５２ｂ、５３ａ、５３ｂで区画される内部領域は天板４３として機能する。
【００３６】
また、前記カバー４１の四隅には、Ｙ方向に沿う両外周覆い片４２に対して各々折り返し可能に連結され、かつ、Ｘ方向に沿う両外周覆い片４２に対しては分離した折り返し端片５３を設けている。
【００３７】
前記各折り返し端片５３の裏面側には図９上覧に示すように各々点線で示す面ファスナー５４が設けられ、他方、Ｘ方向に沿う両外周覆い片４２の両隅部にも図９上覧に示すように各々黒塗りで示す面ファスナー５５が設けられている。
【００３８】
そして、図９上欄、中欄に示すように、Ｙ方向に沿う両外周覆い片４２を９０度起立配置に折り返し、かつ、各折り返し端片５３をＸ方向に沿う状態に折り返した後、Ｘ方向に沿う両外周覆い片４２を９０度起立配置に折り返し、この状態でＸ方向に沿う両外周覆い片４２の両隅部に設けた各面ファスナー５５と、前記各折り返し端片５３に設けた各面ファスナー５４とを各々接合する。これにより、図９下欄に示すように、前記各収納蓋３１の上面を覆う天板４３を備え、四辺に外周覆い片４２を備える一台のカバー４１が作成される。
【００３９】
なお、本実施例においては、このようなカバー４１を二台作成する。
【００４０】
図１０は、前記カバー４１を、収納蓋３１を載せた段ボールベッド本体２０上にセットする工程を示すものである。
【００４１】
すなわち、前記各収納蓋３１の上面を覆う天板４３を備えるカバー４１における四辺の外周覆い片４２のうち、一辺の外周覆い片４２は、前記段ボールベッド本体２０における各収納蓋３１で覆われた領領域外の前記部材差し込み用凹陥部３に差し込まれ、残余の三辺の外周覆い片４２は、前記土台外枠スリーブ２１の残余の上部外周領域及び複数の収納蓋３１の上部を天板４３とともに覆う。
【００４２】
図１１は、本実施例に係る災害用段ボールベッド１における収納蓋３１及びカバー４１の開放による収納スペース１１の利用例示すものである。
【００４３】
前記収納蓋３１及びカバー４１を段ボールベッド本体２０の上部から除去することにより、広い各収納スペース１１が露出し、これにより、この収納スペース１１内にリュックサック類、飲料ビン類、書籍等を入れて好適に利用でき、各収納スペース１１の利用性を向上することができる。
【００４４】
本実施例に係る災害用段ボールベッド１の寸法例に言及すると、外寸法としては幅８１９ｍｍ、長さ１９０４ｍｍ、高さ３５０ｍｍ、梱包寸法としては幅４１０ｍｍ、長さ１１８０ｍｍ、高さ３３０ｍｍ、重さ１０ｋｇ等の例を挙げることができる。
【００４５】
また、本実施例に係る災害用段ボールベッド１によれば、段ボールベッド本体の耐荷重性支が向上し、かつ、収納蓋に強化段ポールを採用することで、例えば１００ｋｇ荷重にも耐えることができ、長期聞使用が可能となる。
【００４６】
更に、本実施例に係る災害用段ボールベッド１によれば、上記構成により梱包荷姿は非常にコンパクトとなり、軽くて持ち運びやすい利点がある。
【００４７】
以上説明した本実施例に係る災害用段ボールベッド１によれば、総じて段ボールベッド本体の耐荷重性の強化が図れ、収納スペースの広域化を実現できるとともに、組み立て工具が不要で組み立て容易であり、軽量、安価で、更には、分解容易、保管容易、廃棄容易で、被災対策物資として好適に活用できる災害用段ボールベッドを提供することができる。
【産業上の利用可能性】
【００４８】
本考案の災害用段ボールベッドは、国、自治体等が運営する公共機関、各種会社、鉄道会社の駅等において災害等が発生した場合に備える備蓄用物品として広範に利用することができる。
【符号の説明】
【００４９】
１    災害用段ボールベッド
２    第１の土台仕切り板
２ａ  差し込み用凹陥部
３    部材差し込み用凹陥部３
１０    土台仕切り
１１    収納スペース
１２    第２の土台仕切り板
１２ａ  差し込み用凹陥部
２０    段ボールベッド本体
２１    土台外枠スリーブ
２２    折込部分
３１    収納蓋
４１    カバー
４２    外周覆い片
４３    天板
５２ａ  折り込み線
５２ｂ  折り込み線
５３ａ  折り込み線
５３ｂ  折り込み線
５３    折り返し端片
５４    面ファスナー
５５    面ファスナー
６１    強化ダンボール素材
６１    強化段ボール素材
６２    ライナー
６３    中芯
【図１】
0003230506.tif 000003
【図２】
0003230506.tif 000004
【図３】
0003230506.tif 000005
【図４】
0003230506.tif 000006
【図５】
0003230506.tif 000007
【図６】
0003230506.tif 000008
【図７】
0003230506.tif 000009
【図８】
0003230506.tif 000010
【図９】
0003230506.tif 000011
【図１０】
0003230506.tif 000012
【図１１】
0003230506.tif 000013